(57)【要約】【課題】不使用時は水廻り設備を隠すように間仕切りを配置し、使用時は使用形態に応じて間仕切りを移動させて空間を広く使うことのできる間仕切り構造を提供する。【解決手段】平面視Ｌ字状の四つの間仕切り１，１，１，１をそれぞれ水平方向へ移動可能に配設して、四つの間仕切り１，１，１，１により空間を覆ったり広げたりできるように構成する。なお、各間仕切り１には、移動可能な可動扉２ａ，２ｂが備えられている。【選択図】図１０
2007315047.tif 000002
【特許請求の範囲】
【請求項１】
平面視Ｌ字状の四つの間仕切りをそれぞれ水平方向へ移動可能に配設して、該四つの間仕切りにより空間を覆ったり広げたりできるように構成したことを特徴とする間仕切り構造。
【請求項２】
一つの固定壁面に沿って平面視Ｌ字状の二つの間仕切りを水平方向へ移動可能に配設して、該二つの間仕切りと前記一つの固定壁面で空間を覆ったり広げたりできるように構成したことを特徴とする間仕切り構造。
【請求項３】
前記間仕切りの移動方向の壁面には、該壁面に重なる可動扉が備えられていることを特徴とする請求項１または請求項２に記載の間仕切り構造。
【発明の詳細な説明】
【技術分野】
【０００１】
本発明は、空間を覆ったり広げたりできる間仕切り構造に関するものである。
【背景技術】
【０００２】
従来、特許文献１に開示されているように、間仕切り壁を移動させて利用目的に応じた空間を創造できる可変浴室ユニットが存在する。
【特許文献１】特開平３−２０２５６２号公報
【発明の開示】
【発明が解決しようとする課題】
【０００３】
上記特許文献１に開示されている構造では、間仕切り壁を移動させて部屋の広さを変えることができるが、間仕切り壁は平板状のものであるため、空間を覆うことはできないものであった。
【課題を解決するための手段】
【０００４】
本発明は上記従来の問題点に鑑み案出したものであって、空間を覆ったり広げたりできる間仕切り構造を提供せんことを目的とし、その請求項１は、平面視Ｌ字状の四つの間仕切りをそれぞれ水平方向へ移動可能に配設して、該四つの間仕切りにより空間を覆ったり広げたりできるように構成したことである。
【０００５】
また、請求項２は、一つの固定壁面に沿って平面視Ｌ字状の二つの間仕切りを水平方向へ移動可能に配設して、該二つの間仕切りと前記一つの固定壁面で空間を覆ったり広げたりできるように構成したことである。
【０００６】
また、請求項３は、前記間仕切りの移動方向の壁面には、該壁面に重なる可動扉が備えられていることである。
【発明の効果】
【０００７】
本発明の間仕切り構造は、平面視Ｌ字状の四つの間仕切りをそれぞれ水平方向へ移動可能に配設して、該四つの間仕切りにより空間を覆ったり広げたりできるように構成したことにより、不使用時は水廻り設備を隠すように間仕切りを配置し、使用時は使用形態に応じて間仕切りを移動させることにより空間を広く使うことができるものとなる。
【０００８】
また、一つの固定壁面に沿って平面視Ｌ字状の二つの間仕切りを水平方向へ移動可能に配設して、該二つの間仕切りと前記一つの固定壁面で空間を覆ったり広げたりできるように構成したことにより、不使用時は水廻り設備を隠すように間仕切りを配置し、使用時は使用形態に応じて間仕切りを移動させることにより空間を広く使うことができるものとなる。
【０００９】
また、前記間仕切りの移動方向の壁面には、該壁面に重なる可動扉が備えられていることにより、可動扉を開けたり閉めたりすることにより、開放的な空間としたり、閉鎖的な空間としたりできるものとなる。
【実施例１】
【００１０】
以下、本発明の実施例を図面に基づいて説明する。
図１は、Ｌ字状間仕切りの平面構成図であり、図２は、図１のＡ−Ａ線断面拡大構成図である。また図３は、図２の正面構成図である。
【００１１】
Ｌ字状間仕切り１は、第１壁面１ａと第２壁面１ｂが直交状をなす平面視Ｌ字状に形成されており、このＬ字状の間仕切り１の第１壁面１ａの内側には、第１壁面１ａに対し延長方向に引き出すことができるとともに、第１壁面１ａの内側に重なるように閉じることのできる第１可動扉２ａが設けられている。
また、同様に第２壁面１ｂの内側にも、第２壁面１ｂの延長方向に移動可能で、かつ第２壁面１ｂの内側に重なるように閉じることのできる第２可動扉２ｂが備えられている。
【００１２】
図２に示すように、第１可動扉２ａ及び第２可動扉２ｂには、上端及び下端側に移動方向に沿ってスライドレール３，３が設けられており、このスライドレール３，３内に摺動移動可能に嵌め込まれた滑車体４が第１壁面１ａ及び第２壁面１ｂから突出状に上端及び下端側に設けられており、滑車体４がスライドレール３内に摺動移動可能に嵌め込まれて第１壁面１ａにスライド移動可能に第１可動扉２ａが設けられており、また、第２壁面１ｂにスライド移動可能に第２可動扉２ｂが設けられている。
【００１３】
このような構造の平面視Ｌ字状のＬ字状間仕切り１を４個用いて、空間の隅角部にそれぞれＬ字状間仕切り１，１，１，１を立設状に配置させ、それぞれのＬ字状間仕切り１を図５の平面図で示すように、図示上下方向及び図示左右方向に水平面内で移動させることができるように配置されている。
即ち、天井壁面５には、図４に示すように、複数の縦レール６，６，６が間隔をおいて配置され、この縦レール６と直交する複数の横レール７が間隔をおいて配置されている。この縦レール６及び横レール７に沿って各Ｌ字状間仕切り１は上下方向及び左右方向に移動可能である。
【００１４】
図６は、図５のＢ方向矢視図を拡大して示すものであり、各Ｌ字状間仕切り１の上端面には、第１壁面１ａと第２壁面１ｂの交差する角部に１個の滑車８が設けられ、また、縦レール６に対応する位置及び横レール７に対応する位置にそれぞれ滑車８，８が設けられて、各Ｌ字状間仕切り１の上端には３個の滑車８，８，８が設けられており、この３個の滑車８，８，８が天井壁面５に設けられている縦レール６，６及び横レール７に嵌め込まれて、天井壁面５から吊り下げ状に各Ｌ字状間仕切り１が立設されており、各Ｌ字状間仕切り１は縦レール６，６，６及び横レール７，７，７にガイドされて良好に横方向及び縦方向（上下方向及び左右方向）へ移動できるものである。
【００１５】
図７の平面図で示すように、４個のＬ字状間仕切り１，１，１，１をそれぞれ空間の四隅コーナー部に配置して、第１可動扉２ａ及び第２可動扉２ｂをそれぞれ開け、４個のＬ字状間仕切り１，１，１，１で広い空間を形成させることができるものであり、居室内にこのような４個のＬ字状間仕切り１，１，１，１を天井壁面５から吊り下げ状に設けておき、居室内で図７のように包囲された広い空間を形成させることができるものである。
【００１６】
また、Ｌ字状間仕切り１，１，１，１を横方向に移動させ、可動扉２ａ，２ｂを閉ざして、図８のような長方形状の空間を形成させることもでき、さらには図９に示すように、Ｌ字状間仕切り１，１，１，１を縦方向にも移動させて、極めて狭い閉ざされた空間を形成させることもできるものとなり、４個のＬ字状間仕切り１，１，１，１を使用形態に応じて適宜移動させて、図７のような広い空間を形成させることも、図８のような長方形状の空間を形成させることも、さらには図９に示すように内側の空間を狭くして四つのＬ字状間仕切り１，１，１，１で覆い、外側に通路等を形成させることもできるものである。
【００１７】
例えば、この四つのＬ字状間仕切り１，１，１，１で形成される空間内に浴槽を設置して、浴室として使用する場合には、図７の状態では極めて広い浴室を確保することができ、図９の状態では、浴槽を使用しない場合に、浴槽を四つのＬ字状間仕切り１，１，１，１で覆い隠すことができるものとなる。
【実施例２】
【００１８】
図１０〜図１５に示すものは第２実施例であり、この第２実施例においても前記図１，図２，図３で示したような平面視Ｌ字状の四つの間仕切り１，１，１，１を使用するものであり、図１０の斜視図で示すように、各Ｌ字状間仕切り１は、縦方向に延びる第１壁面１ａと第２壁面１ｂでＬ字状に形成され、各壁面１ａ，１ｂには、縦方向に間隔をおいて横長状のスリットＳ，Ｓ，Ｓが貫通形成されている。
【００１９】
本例のＬ字状間仕切り１は、第１壁面１ａ或いは第２壁面１ｂの何れか側のみに可動扉２ａ或いは２ｂが開閉可能に設けられたものである。
なお、各Ｌ字状間仕切り１は同一形状のものを４個用いて、それぞれ図４及び図６のように、天井壁面５に設けられている縦レール６，横レール７に沿って水平面内で移動可能に配置されるものである。
【００２０】
図１０の場合は、図１１の平面図で示すように、空間を仕切る左右の固定壁面１０ａ，１０ｂ間の中央部には横方向に延びる固定壁面１１が設けられており、この固定壁面１１の図示上方側には浴槽１２が設置され、また、固定壁面１１の図示下方側には洗面器１３と便器１４が設置されている。
【００２１】
なお、このような空間は庭１５側に面して居室内に設置されるものであり、図１０及び図１１では、上方側の左右のＬ字状間仕切り１，１を固定壁面１０ａ，１０ｂ側にそれぞれ当接状に移動させて、下方側の左右のＬ字状間仕切り１，１は洗面器１３，便器１４を備えた空間を覆うように近づけて配置したものである。
【００２２】
このような配置状態では、図示下方側の左右のＬ字状間仕切り１，１と固定壁面１０ａ及び１０ｂとの間に通路１６ａ，１６ｂが形成されることとなり、居室側からこの何れかの通路１６ａ，１６ｂを通って良好に浴槽１２に入ることができるものであり、洗面器１３及び便器１４は隠されるため、すっきりとした浴室が形成されて、浴槽１２内へ良好に入浴することができるものである。しかも、この場合に、上方側の可動扉２ａ，２ｂを閉ざして庭１５側へ開放された開口１７を形成させておけば、浴槽１２内に入りながら庭１５を見ることができ、庭１５側に開放された開放感のある浴室を形成させることができるものとなる。
【００２３】
次に、図１２のように、各Ｌ字状間仕切り１，１，１を移動させて浴槽１２及び洗面器１３，便器１４を全て覆い隠すこともでき、この図１２の場合は、庭１５に直通する通路１６ａ，１６ｂが左右側に形成されて、庭１５と居室内がこの通路１６ａ，１６ｂで連通状態となり、開放的な空間を形成させることができ、しかも、浴槽１２，洗面器１３，便器１４をコンパクトに隠蔽させて、すっきりとした空間が形成されるものとなる。
【００２４】
次に、図１３のように移動させることにより、浴槽１２を隠蔽させて便器１４及び洗面器１３を使用できるように居室内側に開口１８を形成させることができ、この開口１８から空間内に入り、便器１４及び洗面器１３を良好に使用することができるものとなり、また、庭に連通する通路１６ａ，１６ｂも良好に形成させることができるものとなる。
【００２５】
次に、図１４のように、浴槽１２のみを隠蔽させ、洗面器１３及び便器１４側を通路１６ａ，１６ｂと連通状態として、居室側は可動扉２ａ，２ｂで閉ざして、庭１５側へ通路１６ａ，１６ｂを介して連通状態となる広いトイレ空間を形成させることができるものとなる。
【００２６】
さらには、図１５に示すように、４個のＬ字状間仕切り１，１，１，１をそれぞれ固定壁面１０ａ，１０ｂ側へ当接状に移動させ、各可動扉２ａ，２ｂを開けて庭１５側及び居室側を閉ざし、浴槽１２と洗面器１３，便器１４が連通する広い空間を形成させることができるものとなる。
【００２７】
このように浴槽１２を使用する際には、浴槽１２側へ連通するような空間を形成させて、浴室として使用することができ、また、浴槽１２を使用しない場合には、浴槽１２を覆って隠蔽させ、通路１６ａ，１６ｂを形成させることができ、また、トイレとして使用する場合には、洗面器１３及び便器１４の空間を広げて有効に利用することができるものとなり、内部の水廻り設備を使用しない時には、その水廻り設備を隠すように間仕切り１，１，１を配置し、水廻り設備を使用する時には、使用形態に応じてＬ字状間仕切り１，１を適宜移動させて空間を広く使うことができるものとなり、また、可動扉２ａ，２ｂを開けたり閉めたりすることにより、開放的な空間としたり、封鎖的な空間としたりすることができるものとなる。
【実施例３】
【００２８】
次に、図１６〜図１８では第３実施例を示す。
第３実施例では、建物の壁面を利用して、この固定壁面１９に沿って、水平面内で移動可能に左右側に二つのＬ字状間仕切り１，１を配設したものであり、Ｌ字状間仕切り１，１には可動扉２ａ，２ｂがそれぞれ一枚備えられており、図１６のように、それぞれのＬ字状間仕切り１，１の可動扉２ａ，２ｂを開けて、固定壁面１９との間に封鎖した広い空間を確保することができ、この内部を例えば広いシャワールームとして使用できるものとなる。
【００２９】
また、図１７のように、可動扉２ａ，２ｂを閉ざすことにより、外側へ開放された開口が空間に形成されるものとなる。
また、さらには図１８のように、可動扉２ａ，２ｂを閉ざした状態で、左右のＬ字状間仕切り１，１をほぼ当接するように移動させて、狭い空間を完全に覆って隠蔽させることができるものとなり、この図１８の場合は、一対のＬ字状間仕切り１，１の外側に広い空間が確保されて、内側に設けられる水廻り設備が完全に隠されることとなる。
【図面の簡単な説明】
【００３０】
【図１】Ｌ字状間仕切りの平面構成図である。
【図２】図１のＡ−Ａ線断面拡大構成図である。
【図３】図２の正面構成図である。
【図４】天井壁面に設けられた縦レールと横レールの構成図である。
【図５】４個のＬ字状間仕切りで最大に広い空間を仕切った状態の配置構成図である。
【図６】図５のＢ方向矢視拡大図である。
【図７】４個のＬ字状間仕切りで最大に広い空間を仕切った平面構成図である。
【図８】長方形状の空間に仕切った場合の平面構成図である。
【図９】最も狭い空間に仕切った場合の平面構成図である。
【図１０】第２実施例の４個のＬ字状間仕切りの配置の一例を示す斜視構成図である。
【図１１】図１０の平面構成図である。
【図１２】Ｌ字状間仕切りで浴槽及び洗面器，便器を覆った状態の平面構成図である。
【図１３】浴槽側のみを覆った場合の平面構成図である。
【図１４】さらに洗面器側の空間を広げた状態の平面構成図である。
【図１５】４個のＬ字状間仕切りを最大限に広げ、さらに可動扉で広い空間を仕切った状態の平面構成図である。
【図１６】第３実施例を示し、一対のＬ字状間仕切りで広い空間を内部に形成した場合の平面構成図である。
【図１７】可動扉を開けて開放させた状態の平面構成図である。
【図１８】最も狭い空間に仕切った場合の平面構成図である。
【符号の説明】
【００３１】
１  Ｌ字状間仕切り
１ａ  第１壁面
１ｂ  第２壁面
２ａ  第１可動扉
２ｂ  第２可動扉
３  スライドレール
４  滑車体
５  天井壁面
６  縦レール
７  横レール
８  滑車
１０ａ，１０ｂ，１１，１９  固定壁面
１２  浴槽
１３  洗面器
１４  便器
１５  庭
１６ａ，１６ｂ  通路
１７，１８  開口
Ｓ  スリット
【図１】
2007315047.tif 000003
【図２】
2007315047.tif 000004
【図３】
2007315047.tif 000005
【図４】
2007315047.tif 000006
【図５】
2007315047.tif 000007
【図６】
2007315047.tif 000008
【図７】
2007315047.tif 000009
【図８】
2007315047.tif 000010
【図９】
2007315047.tif 000011
【図１０】
2007315047.tif 000012
【図１１】
2007315047.tif 000013
【図１２】
2007315047.tif 000014
【図１３】
2007315047.tif 000015
【図１４】
2007315047.tif 000016
【図１５】
2007315047.tif 000017
【図１６】
2007315047.tif 000018
【図１７】
2007315047.tif 000019
【図１８】
2007315047.tif 000020